(57)【要約】【課題】第１の液晶表示部を表示させたままにするか、消灯させるかを選択できる手段を有し、ファインダの取り外しが検出された時には、第１の液晶表示部を表示させる液晶表示制御装置、液晶表示制御方法および撮像装置を提供する。【解決手段】カメラの電源スイッチ４をＯＮする。電源スイッチ４がオンされると、ＣＰＵ９は、ファインダ装着検出スイッチ３が、ＯＮ状態（装着状態）であるか否か判断される。ファインダ非装着と判断された場合には、カメラ本体側の第１の液晶表示部１のバックライトをＯＮ制御する。ファインダ装着と判断した場合には、ファインダ側の第２の液晶表示部のバックライトをＯＮ制御し、液晶表示モードボタン５で選択したモードに従い、カメラ側の第１の液晶表示部のバックライトをＯＮ制御、または、ＯＦＦ制御する。【選択図】図３
2008225227.tif 000002
【特許請求の範囲】
【請求項１】
撮影情報を表示する第１の液晶表示部と、
着脱可能なファインダに前記第１の液晶表示部と同じ内容を表示可能な第２の液晶表示部と、
前記ファインダの装着検出スイッチとを有し、
前記装着検出スイッチにより前記ファインダの装着が検出された時には、ファインダ内の第２の液晶表示部を表示させ、
前記第１の液晶表示部を表示させたままにするか、消灯させるかを選択できる手段を有し、
前記ファインダを取り外した時には、第１の液晶表示部を表示させることを特徴とする液晶表示制御装置。
【請求項２】
液晶表示モード設定手段をさらに有し、前記液晶表示モード設定手段は、前記第１の液晶表示部を表示させたままにするか、消灯させるかの選択を機器操作者が任意に設定可能とすることを特徴とする請求項１に記載の液晶表示制御装置。
【請求項３】
前記第１の液晶表示部を表示させたままにするか、消灯させるかを選択できる手段は、
前回のファインダを取り外した時の状態を記憶できることを特徴とする請求項２に記載の液晶表示制御装置。
【請求項４】
請求項１から３のいずれか１項に記載の液晶表示制御装置を備えたことを特徴とする撮像装置。
【請求項５】
撮影情報を第１の液晶表示部で表示し、
着脱可能なファインダに前記第１の液晶表示部と同じ内容を第２の液晶表示部で表示し、
前記ファインダを装着した時には、ファインダ内の第２の液晶表示部を表示させ、
前記第１の液晶表示部を表示させたままにするか、消灯させるかを選択し、
前記ファインダを取り外した時には、第１の液晶表示部を表示させることを特徴とする液晶表示制御方法。
【請求項６】
前記第１の液晶表示部を表示させたままにするか、消灯させるかの選択は、
機器操作者が任意に設定できることを特徴とする請求項５に記載の液晶表示制御方法。
【請求項７】
前記第１の液晶表示部を表示させたままにするか、消灯させるかの選択は、
前回のファインダを取り外した時の状態を記憶できることを特徴とする請求項６に記載の液晶表示制御方法。
【発明の詳細な説明】
【技術分野】
【０００１】
本発明は、ファインダを着脱可能な液晶表示制御装置、液晶表示制御方法および撮像装置に関する。
【背景技術】
【０００２】
撮影情報を表示する液晶表示部を備えたデジタルカメラにおいて、屋外等の明るい環境下では、液晶表示部が見難いという問題があった。
【０００３】
これを回避する為、光学ファインダを備えたカメラが従来から商品化されたり、液晶表示部に外側からフードを取り付けて遮光する手段も提案され商品化されている。これに関連する技術を次に開示する。
【０００４】
例えば、特許文献１は、着脱可能なファインダに、撮影情報を表示する第１の液晶表示部を設けるとともにカメラボディに第１の液晶表示部と同じ内容を表示する第２の液晶表示部を設け、ファインダ装着時には、ファインダ内の第１の液晶表示部を表示させ、第２の液晶表示部のバックライトをオフ制御し、ファインダ非装着時には、第２の液晶表示部のバックライトをオン制御する技術が提案されている。
【特許文献１】特許第３６０６７４５号公報
【発明の開示】
【発明が解決しようとする課題】
【０００５】
しかしながら、光学ファインダを備えたカメラでは、そのスペース分カメラを小型化し難く、その分コストアップとなる欠点があった。また、液晶表示部に外側からフードを取り付ける構造では、遮光の効果を大きくする為にはフードが大型化し、カメラとしての取り扱いが困難になる欠点があった。
【０００６】
そこで本発明は、ファインダの装着が検出された時には、ファインダ内の第２の液晶表示部を表示させ、第１の液晶表示部を表示させたままにするか、消灯させるかを選択できる手段を有し、ファインダを取り外した時には、第１の液晶表示部を表示させる液晶表示制御装置、液晶表示制御方法および撮像装置を提供することを目的とする。
【課題を解決するための手段】
【０００７】
上記の目的を達成するため、請求項１に記載の発明は、撮影情報を表示する第１の液晶表示部と、着脱可能なファインダに前記第１の液晶表示部と同じ内容を表示可能な第２の液晶表示部と、前記ファインダの装着検出スイッチとを有し、前記装着検出スイッチにより前記ファインダの装着が検出された時には、ファインダ内の第２の液晶表示部を表示させ、前記第１の液晶表示部を表示させたままにするか、消灯させるかを選択できる手段を有し、前記ファインダを取り外した時には、第１の液晶表示部を表示させる液晶表示制御装置であることを特徴とする。
【０００８】
請求項２に記載の発明は、請求項１に記載の液晶表示制御装置において、前記第１の液晶表示部を表示させたままにするか、消灯させるかを選択できる手段は、機器操作者が任意に設定できることを特徴とする。
【０００９】
請求項３に記載の発明は、請求項２に記載の液晶表示制御装置において、前記第１の液晶表示部を表示させたままにするか、消灯させるかを選択できる手段は、前回のファインダを取り外した時の状態を記憶できることを特徴とする。
【００１０】
請求項４に記載の発明は、請求項１から３のいずれか１項に記載の液晶表示制御装置を備えた撮像装置であることを特徴とする。
【００１１】
請求項５に記載の発明は、撮影情報を第１の液晶表示部で表示し、着脱可能なファインダに前記第１の液晶表示部と同じ内容を第２の液晶表示部で表示し、前記ファインダを装着した時には、ファインダ内の第２の液晶表示部を表示させ、前記第１の液晶表示部を表示させたままにするか、消灯させるかを選択し、前記ファインダを取り外した時には、第１の液晶表示部を表示させる液晶表示制御方法であることを特徴とする。
【００１２】
請求項６に記載の発明は、請求項５に記載の液晶表示制御方法において、前記第１の液晶表示部を表示させたままにするか、消灯させるかの選択は、機器操作者が任意に設定できることを特徴とする。
【００１３】
請求項７に記載の発明は、請求項６に記載の液晶表示制御方法において、前記第１の液晶表示部を表示させたままにするか、消灯させるかの選択は、前回のファインダを取り外した時の状態を記憶できることを特徴とする。
【発明の効果】
【００１４】
本発明によれば、装着検出スイッチによりファインダの装着が検出された時には、ファインダ内の第２の液晶表示部を表示させ、第１の液晶表示部を表示させたままにするか、消灯させるかを選択できる手段を有し、ファインダを取り外した時には、第１の液晶表示部を表示させる液晶表示制御装置、液晶表示制御方法および撮像装置を提供することを可能とする。
【発明を実施するための最良の形態】
【００１５】
本発明を実施するための好適な実施の形態について説明する。
【００１６】
本実施形態の撮像装置６について図１を用いて説明する。図１は、本実施形態の撮像装置６における液晶表示装置を示すカメラ斜視図である。本図は、本実施形態の撮像装置６に直接関連する部分および主要部のみを図で示す。
【００１７】
本実施形態の撮像装置６の背面には、第１の液晶表示部１が設けられている。上面にはアクセサリ取り付け部８が設けられていて、ストロボやファインダが取り付け可能となっている。またアクセサリ取り付け部８の中にはファインダ装着検出スイッチ３が設けられている。
【００１８】
上述したカメラにファインダ７を装着したカメラを図２を用いて説明する。図２は、図１の撮像装置６に着脱式ファインダ７を装着した状態を示すカメラ斜視図である。
【００１９】
背面の接眼部には第２の液晶表示部２が設けられている。ファインダ装着時には第1の液晶表示部および第２の液晶表示部のどちらの情報を見ることも可能となる。
【００２０】
本実施形態の撮像装置６における２つの液晶表示部の動作を図３、図４を用いて説明する。図３は、本実施形態の撮像装置６の制御回路の一部である回路ブロック図を示す。図４は、本実施形態の撮像装置６における２つの液晶表示部の動作を説明する為のフローチャートである。
【００２１】
カメラの電源スイッチ４をＯＮする（ステップＳ４０１）。電源スイッチ４がオンされると、ＣＰＵ９は、ファインダ装着検出スイッチ３が、ＯＮ状態（装着状態）であるか否か判断される（Ｓ４０２）。ファインダ非装着と判断された場合には（Ｓ４０２／ＹＥＳ）、カメラ本体側の第１の液晶表示部１のバックライトをＯＮ制御する（Ｓ４０３）。
【００２２】
ファインダ装着と判断した場合には（Ｓ４０２／ＮＯ）、ファインダ側の第２の液晶表示部のバックライトをＯＮ制御し（Ｓ４０４）、液晶表示モードボタン５で選択したモードに従い（Ｓ４０５）、カメラ側の第１の液晶表示部のバックライトをＯＮ制御（Ｓ４０３）、または、ＯＦＦ制御する（Ｓ４０６）。
【００２３】
ファインダを取り外した時に、液晶表示モードボタン５で選択したモードをＣＰＵ９に記憶させ、次にファインダを装着した時に、前回記憶したモードに従い、第２の液晶表示部のバックライトを制御する。
【００２４】
本実施形態では、カメラ本体側だけでなく、外付け装着後のファインダ側にも同じ内容の撮影情報を表示可能な液晶表示部を設けることにより、前記の欠点を解決するとともに、ファインダ装着時にはカメラ本体側の液晶表示部を消灯させることを可能にすることにより、消費電力を抑制することが可能となる。
【００２５】
また、カメラ本体側の液晶表示部を表示させるか、消灯させるかをカメラ使用者に設定させることにより、カメラ使用者の使い方にあったカメラを提供できる。
【００２６】
また、前回のファインダを取り外した時の状態を記憶させることにより、カメラ使用者の使い方にあった操作性の優れたカメラを提供できる。
【００２７】
さらに、ファインダ側の液晶表示部の表示内容をカメラ本体側の液晶表示部と異なる表示内容を表示させることにより、見やすいファインダを提供することが可能となる。
【図面の簡単な説明】
【００２８】
【図１】本実施形態の撮像装置６における外観を示す斜視図である。（ａ）は、前から見る斜視図である。（ｂ）は、後ろから見る斜視図である。
【図２】本実施形態の撮像装置６におけるファインダを装着した場合を示す斜視図である。（ａ）は、前から見る斜視図である。（ｂ）は、後ろから見る斜視図である。
【図３】本実施形態の撮像装置６における制御回路の一部を示す回路ブロック図である。
【図４】本実施形態の撮像装置６における２つの液晶表示部の動作を説明するためのフローチャート図である。
【符号の説明】
【００２９】
１    第１の液晶表示部
２    第２の液晶表示部
３    ファインダ装着検出スイッチ
４    電源スイッチ
５    液晶表示モードボタン
６    カメラ本体
７    着脱式ファインダ
８    アクセサリ取り付け部
９    ＣＰＵ
【図１】
2008225227.tif 000003
【図２】
2008225227.tif 000004
【図３】
2008225227.tif 000005
【図４】
2008225227.tif 000006